(57)【要約】      （修正有）【課題】側面からみても、意匠層の色相が活かされ、意匠性を損なうことがなく、高級感あふれる意匠を有する積層体を提供する。【解決手段】意匠層２の表面側に透明層１が積層された板状の積層体であって、透明層１の屈折率が１．４以上であり、透明層１の側面のうち、８０％以上が水平面に対し鋭角に処理されたものであり、透明層１側面の水平面に対する角度をβ（°）、透明層１側面への水平方向からの光の入射角をα（°）、屈折角をγ（°）、透明板の屈折率をｎ（ｎ＝ｓｉｎα／ｓｉｎγ）、透明層１の幅をｒ（ｍｍ）、厚みをｈ（ｍｍ）とすると、α＋β＝９０°の条件において、ｔａｎ（９０−（β＋γ））≧ｈ／（ｒ−ｈ／ｔａｎβ）を満たすことを特徴とする。【選択図】図１
0003206989.tif 000002
【実用新案登録請求の範囲】
【請求項１】
意匠層の表面側に透明層が積層された板状の積層体であって、
透明層の屈折率が１．４以上であり、
透明層の側面のうち、８０％以上が水平面に対し鋭角に処理されたものであり、
前記透明層が、
透明層側面の水平面に対する角度をβ（°）、透明層側面への水平方向からの光の入射角をα（°）、屈折角をγ（°）、透明板の屈折率をｎ（ｎ＝ｓｉｎα／ｓｉｎγ）、透明層の幅をｒ（ｍｍ）、厚みをｈ（ｍｍ）とすると、α＋β＝９０°の条件において、
ｔａｎ（９０−（β＋γ））≧ｈ／（ｒ−ｈ／ｔａｎβ）を満たす
ことを特徴とする積層体
【請求項２】
前記透明層が、
幅３０ｍｍ以上、厚み１ｍｍ以上１０ｍｍ以下である
ことを特徴とする請求項１に記載の積層体
【請求項３】
透明層が、透明ガラス層であることを特徴とする請求項１または請求項２に記載の積層体
【考案の詳細な説明】
【技術分野】
【０００１】
本考案は、新規な積層体に関するものである。
【背景技術】
【０００２】
壁、床、天井などの建材には、高級感を表出する工夫がなされている。
このような建材としては、例えば、大理石、御影石を用いた光沢性を有する材料や、光輝性顔料等を用いた輝度感、彩度を有する材料等が挙げられる。
例えば、特許文献１では、金属板とガラス層間に、顔料を含む樹脂層を形成して一体化した化粧板が記載されており、ガラス層と樹脂層との相乗効果により従来に無い色彩、質感がある意匠を醸し出している。
【先行技術文献】
【特許文献】
【０００３】
【特許文献１】特開平６‐３２２９３４号公報
【考案の概要】
【考案が解決しようとする課題】
【０００４】
しかしながら引用文献１のように表面にガラス板を使用した化粧板は、側面からみると意匠層による意匠は活かされない場合がある。よって、コーナーなどの部位へ施工する場合、該化粧板の側面が露出し、意匠性を損なう恐れがあった。
【課題を解決するための手段】
【０００５】
本考案は、このような点に鑑みなされたもので、側面からみても、意匠層の色相が活かされ、意匠性を損なうことがなく、高級感あふれる積層体を得ることを目的とするものである。
【０００６】
本考案者らは、このような問題を解決するために鋭意検討した結果、透明板の側面を鋭角に処理することによって、側面からみても意匠層の色相が活かされ、高級感あふれる積層体が得られることを見出し、本考案の完成に至った。
【０００７】
すなわち、本考案は以下の特徴を有するものである。
１．意匠層の表面側に透明層が積層された板状の積層体であって、
透明層の屈折率が１．４以上であり、
透明層の側面のうち、８０％以上が水平面に対し鋭角に処理されたものであり、
前記透明層が、
透明層側面の水平面に対する角度をβ（°）、透明層側面への水平方向からの光の入射角をα（°）、屈折角をγ（°）、透明板の屈折率をｎ（ｎ＝ｓｉｎα／ｓｉｎγ）、透明層の幅をｒ（ｍｍ）、厚みをｈ（ｍｍ）とすると、α＋β＝９０°の条件において、
ｔａｎ（９０−（β＋γ））≧ｈ／（ｒ−ｈ／ｔａｎβ）を満たす
ことを特徴とする積層体
２．前記透明層が、
幅３０ｍｍ以上、厚み１ｍｍ以上１０ｍｍ以下である
ことを特徴とする１．に記載の積層体
３．透明層が、透明ガラス層であることを特徴とする１．または２．に記載の積層体
【考案の効果】
【０００８】
本考案の積層体は、側面からみても、意匠層の色相が活かされ、意匠性を損なうことがなく、高級感あふれる意匠を提供する。
【図面の簡単な説明】
【０００９】
【図１】本考案積層体の一例を示す断面図である。
【図２】本考案積層体の一例を示す断面図の側面部分の拡大図である。    （１）は、透明板の側面が水平面に対し３０°に処理された積層体の断面図の拡大図である。    （２）は、透明板の側面が水平面に対し４５°に処理された積層体の断面図の拡大図である。    （３）は、透明板の側面が水平面に対し６０°に処理された積層体の断面図の拡大図である。    （４）は、透明板の側面が水平面に対し７５°に処理された積層体の断面図の拡大図である。    （５）は、透明板の側面が水平面に対し８０°に処理された積層体の断面図の拡大図である。    （６）は、透明板の側面のうち、下部２０％が９０°、上部８０％が４５°に処理された積層体の断面図の拡大図である。    （７）は、透明板の側面のうち、下部８０％が４５°に処理され、上部２０％が丸く研磨処理された積層体の断面図の拡大図である。    （８）は、透明板の側面のうち、下部５０％が４５°に処理され、上部５０％が丸く研磨処理された積層体の断面図の拡大図である。    （９）は、透明板の側面のうち、下部２０％が９０°、上部８０％が４０°に処理され、さらに最上部が丸く研磨処理された積層体の断面図の拡大図である。    （１０）は、透明板の側面のうち、下部５０％が９０°、上部５０％が４５°に処理された積層体の断面図の拡大図である。    （１１）は、透明板の側面のうち、下部８０％が９０°、上部２０％が４５°に処理された積層体の断面図の拡大図である。    （１２）は、透明板の側面のうち、下部８０％が９０°であり、上部２０％は丸く研磨処理された積層体の断面図の拡大図である。    （１３）は、透明板の側面が９０°である積層体の断面図の拡大図である。
【図３】透明板の屈折率が１．４、厚みが３ｍｍである場合の式１曲線を示す。
【符号の説明】
【００１０】
１．透明板
２．意匠層
【考案を実施するための形態】
【００１１】
以下、本考案を実施するための形態について説明する。
【００１２】
本考案は、意匠層の表面側に透明層が積層された板状の積層体であって、透明層の側面が水平面に対し鋭角に処理されたものであることを特徴とするものである。
このような積層体は、透明層の鏡面効果、屈折効果と、意匠層の意匠により、積層体正面はもちろんのこと、積層体側面からみても意匠層の色相が活かされ、高級感あふれる優れた意匠を表出することができる。
【００１３】
透明層としては、意匠層の意匠を損なわない程度の透明性を有するものであれば特に限定されないが、高級感を表出するために、透明層の厚みは、１ｍｍ以上１０ｍｍ以下（さらには１．５ｍｍ以上８ｍｍ以下、さらには２ｍｍ以上５ｍｍ以下）であることが好ましい。
また、透明層の大きさは、幅が３０ｍｍ以上であるものを使用すればよい。なお透明層の形状は、特に限定されないが、長方形（正方形）のものが好ましく、長方形（正方形）の場合、本考案では最も短い辺の長さを幅という。
【００１４】
また、透明層の屈折率は１．４以上、透明層の側面のうち８０％以上（好ましくは９０％以上、さらに好ましくは１００％）が水平面に対し鋭角に処理されているものであれば特に限定されず、本考案の効果を得ることができる。
【００１５】
透明層の屈折率は、１．４以上、さらには１．５以上であることが好ましく、また屈折率の上限は特に限定されないが、３以下、さらには２．５以下程度であればよい。屈折率が１．４未満である場合、積層体側面の意匠が損なわれる場合がある。なお、屈折率は、アッベ屈折計で測定した値である。
【００１６】
また、透明層の光透過率は、４０％以上（さらには６０％〜９９％）程度であることが好ましい。光透過率がこのような範囲であることにより、輝度感・色彩を失わずにすぐれた意匠を得ることができる。また、奥行き感、深み感のある、高級感あふれる積層体を得ることができる。
なお、光透過率とは、ＪＩＳ  Ｋ  ７１０５−１９８１  ５．５「光線透過率及び全光線反射率」に規定する測定法Ａに準拠し、積分球式光線透過率測定装置を用いて測定した全光線透過率の値である。なお光透過率は、厚さ３ｍｍ、波長５５０ｎｍで測定した値を用いる。
【００１７】
本考案で用いる透明層としては、例えば、普通ガラス、フロートガラス、すりガラス、フロストガラス、高透過ガラス、型板ガラス、耐熱ガラス、着色透明ガラス、強化ガラス、熱反射ガラス等の透明ガラス板、透明アクリル板、透明ポリカーボネート板等の透明プラスチック板等を用いることができ、本考案の効果を損なわない程度に着色されていてもよい。本考案では特に、透明ガラス板を用いることが好ましい。
【００１８】
本考案で用いる透明層の側面は、具体的に、透明層表面を上側にして、水平面上に静置した際、図１に示すように、鋭角、即ち、９０°未満（β）に処理されているもの使用し、また、透明層の側面の厚み（ｈ）のうち８０％以上が、鋭角に処理されているもの使用する。（例えば図２（１）〜（９））
なお、透明層の側面が丸みを帯びるように処理されている場合（例えば図２（７）〜（９））、任意の接線を取り、該接線のうち透明層の側面の厚み（ｈ）の８０％以上が、鋭角であるものを使用する。
【００１９】
特に本考案では、積層体を水平方向（真横）から見た場合であっても、意匠層の色相が見えることが好ましい。このような条件は、透明層の屈折率と、透明層の幅ｒ（ｍｍ）、厚みｈ（ｍｍ）の関係より導き出すことができる。
例えば図１に示すように本考案積層体では、透明層側面の水平面に対する角度をβ（°）、透明層側面への水平方向からの光の入射角をα（°）、屈折角をγ（°）、透明層の屈折率をｎ（ｎ＝ｓｉｎα／ｓｉｎγ）、透明層の幅をｒ（ｍｍ）、厚みをｈ（ｍｍ）とすると、α＋β＝９０°の条件において、
（式１）ｔａｎ（９０−（β＋γ））≧ｈ／（ｒ−ｈ／ｔａｎβ）
を満たすものである。
このような式１は、透明層を水平方向（真横）から見た際（α＋β＝９０°の条件）、透明層側面から意匠層の意匠に見えるかどうかを表現した式であり、該式を満たすことにより、透明層側面が水平方向（真横）から見た際でも意匠層の意匠を見ることができる。
このように、透明層の屈折率から、透明層側面の角度β（°）と、透明層の幅と厚みとを決定すればよい。
【００２０】
また、図３には透明層の屈折率が１．４、厚みが３ｍｍである場合において、縦軸を透明層の幅ｒ（ｍｍ）、横軸を透明層側面の角度β（°）とする式１の曲線を示す。図３に示すように、グラフ白部分が本考案規定の範囲となる。すなわち、透明層の屈折率が１．４、厚みが３ｍｍ、さらに透明層の幅が３０ｍｍである場合は、透明層側面の角度β（°）は、約７°から６８°の間に設定することにより、本考案の最適な効果を達成することができる。なお、透明層の屈折率が大きくなるにつれ式１曲線は下側にシフトし、厚みが大きくなるにつれ式１曲線は上側にシフトする。
【００２１】
本考案透明層の側面処理方法としては、特に限定されず、公知の方法で研削・研磨を行い、処理すればよい。
【００２２】
本考案の意匠層は、１層または２層以上からなる層であり、例えば、結合材と着色材を含むものである。
【００２３】
結合材としては、例えば、エポキシ樹脂、ウレタン樹脂、シリコン樹脂、アクリルシリコン樹脂、アルキッド樹脂、メラミン樹脂、ポリカーボネート樹脂、フェノール樹脂、アクリル樹脂、ポリエステル樹脂、ポリエーテル樹脂、ビニル樹脂、ポリアミド樹脂、フッ素樹脂、酢酸ビニル樹脂、塩化ビニル樹脂、アクリル−スチレン樹脂、酢酸ビニル−バーサチック酸ビニルエステル樹脂、ポリビニルピロリドン樹脂、ポリビニルカプロラクタム樹脂、ポリビニルアルコール樹脂、ＡＢＳ樹脂、ＡＳ樹脂、セルロース樹脂、アミノ樹脂等の水分散タイプ、水可溶タイプ、弱溶剤タイプ、強溶剤タイプ、ＮＡＤタイプ、粉末タイプ等が挙げられ、１種または２種以上の樹脂からなるもの、あるいは１種以上の樹脂と１種以上の硬化剤からなるもの等が使用できる。
本考案では特に、エポキシ樹脂、ウレタン樹脂、シリコン樹脂、アクリルシリコン樹脂から選ばれる１種以上が好適に用いられる。
【００２４】
着色材は、意匠性を付与するものであれば特に限定されず、公知のものを１種または２種以上用いることができる。
着色材としては、例えば、酸化チタン、酸化亜鉛、アルミナ、カーボンブラック、酸化第二鉄（弁柄）、黄色酸化鉄、酸化鉄、群青、コバルトグリーン等の無機着色顔料、アゾ系、ナフトール系、ピラゾロン系、アントラキノン系、ペリレン系、キナクリドン系、ジスアゾ系、イソインドリノン系、ベンゾイミダゾール系、フタロシアニン系、キノフタロン系等の有機着色顔料、光輝性顔料、蛍光顔料、蓄蛍光顔料、また、炭酸カルシウム、硫酸バリウム、クレー、カオリン、陶土、タルク、珪石粉、珪藻土、雲母、マイカ、シリカ粒子、ガラス粒子、樹脂粒子、金属粒子、金属フレーク、ガラスフレーク、樹脂フレーク等の粒子が挙げられ、また、これら粒子表面が顔料、染料によって着色されたものでもよい。
本考案では、高級感をより効果的に表出するため、光輝性顔料や、粒子表面を光輝性顔料で着色された粒子を用いることが好ましく、また、奥行き感を表出するため、大きさの異なる２種以上の着色材を用いることが好ましい。また、金属フレーク、ガラスフレーク、樹脂フレーク等のフレーク顔料は、見る角度によって意匠が変化し、より高級感を表出することができる。また、意匠層の色相が濃色であれば、反射光を視認しやすく、鏡面効果がよりいっそう期待できる。
着色材の大きさとしては、特に限定されず、１００ｎｍ以上１０ｃｍ以下のものを使用すればよく、球状、針状、フレーク状等形状も特に限定されない。
また着色材がフレーク状の場合、大きさが０．１μｍ以上１０ｃｍ以下、厚みが０．０１μｍ以上５０μｍ以下であることが好ましい。
【００２５】
結合材と着色材との混合比率は、結合材の固形分１００重量部に対し、着色材１０重量部以上５００重量部以下（好ましくは２０重量部以上３００重量部以下、さらに好ましくは３０重量部以上２００重量部以下）程度とすればよい。なお、硬化剤を含む場合、熱硬化性樹脂として換算する。着色材は、意匠層の裏側が透視できない程度に含まれることが好ましい。
意匠層の厚さは、０．１ｍｍ以上２ｍｍ以下程度（好ましくは０．３ｍｍ以上１．５ｍｍ以下程度）とすればよい。
【００２６】
本考案の意匠層としては、結合材、着色材に加えて、他の添加剤を含むこともできる。
他の添加剤としては、例えば、繊維、難燃剤、可塑剤、防腐剤、防黴剤、消泡剤、粘性調整剤、レベリング剤、顔料分散剤、沈降防止剤、たれ防止剤、艶消し剤、紫外線吸収剤、光安定剤、酸化防止剤、抗菌剤、吸着剤、光触媒等が挙げられ、意匠層形成時に溶剤、水等の添加剤を含んでもよい。
【００２７】
また、意匠層は１層でもよいが、２層以上からなるものでもよく、例えば意匠層が２層以上からなる場合は、各層に異なる大きさの着色材を適宜含ませることによって、より奥行き感を表出することができる。
特に好ましい態様としては、透明層の裏側に、結合材と第１着色材を含む第１意匠層が積層され、さらにその裏側に、結合材と第１着色材より大きさの大きい第２着色材を含む第２意匠層が積層された積層体である。このような積層体は、より奥行き感、深み感を表出することができ、高級感あふれる意匠を形成することができる。
なお、意匠層が２層以上の場合、意匠層全体として、結合材の固形分１００重量部に対し、着色材１０重量部以上５００重量部以下含まれるものが好ましい。
【００２８】
本考案の積層体の製造方法は特に限定されず、公知の方法を採用することができる。
本考案では特に、透明層の裏面に、意匠層を形成する材料（以下、「意匠層形成材」ともいう。）を塗布積層し、乾燥・硬化させることにより得ることができる。
また、意匠層が２層の場合は、透明層の裏面に、第１意匠層形成材を塗布積層し、第１意匠層形成材が硬化あるいは未硬化の状態で、第２意匠層形成材を塗布積層し、乾燥・硬化させることにより得ることができる。
なお、意匠層が３層以上でも同様の方法で積層することができる。
これら意匠層形成材を塗付積層する方法としては、例えば、ローラー、刷毛、コテ、ヘラ、ガン等の塗付器具、押出し成形、フローコーター、ロールコーター等の装置を用いる方法等が挙げられる。
また、透明層の裏面に、着色材を散布し、結合材を流しこみ、乾燥・硬化させることにより得ることもできる。このような散布する方法では、着色材を透明層に散布する前及び／または散布した後に結合材等を塗付積層すればよい。
このようにして得られる意匠層の厚みは、特に限定されないが、０．１ｍｍ以上２ｍｍ以下程度（好ましくは０．３ｍｍ以上１．５ｍｍ以下程度）であればよい。
【００２９】
本考案の積層体は、壁、床、天井などの建材、家具等、各種用途に適用でき、透明層が表面側となるように、公知の接着剤等を用いて貼り付けることができる。また、積層体には、補強層、難燃層、断熱層等が積層されたものでもよい。
【実施例】
【００３０】
（実験例１〜２１）
表１に示す材料、配合、及び表２に示す組み合わせにて、下記に示す透明層に、意匠層形成材を、所要量１．３ｋｇ／ｍ２でローラーにて塗布した後、温度５０℃、相対湿度６０％で、５時間乾燥させ、試験体を得た。なお意匠層の厚みは０．８ｍｍであった。
【００３１】
【表１】
0003206989.tif 000003
【００３２】
【表２】
0003206989.tif 000004
【００３３】
透明層は、次のものを使用し、側面形状は図２（１）〜（１３）に施したものを使用した。
透明層１：透明ガラス板（４０ｍｍ（幅）×５０ｍｍ（長さ）×３ｍｍ（厚さ）、形状：長方形、屈折率：１．５１、光透過率：９０．７％）
透明層２：透明アクリル板（４０ｍｍ（幅）×５０ｍｍ（長さ）×３ｍｍ（厚さ）、形状：長方形、屈折率：１．４９、光透過率：８９．１％）
透明層３：透明プラスチック板（４０ｍｍ（幅）×５０ｍｍ（長さ）×３ｍｍ（厚さ）、形状：長方形、屈折率：１．３５、光透過率：８６．８％）
【００３４】
得られた試験体に対し、次の評価を行った。
＜意匠性評価＞
図１に示すように、得られた試験体を水平方向（真横）から目視にて観察し、積層体側面の意匠性を評価した。評価は表２に示した。なお、透明層のうち５０ｍｍ（長辺）側の側面を観察したものである。
◎：意匠層の模様・色相が現れ、高級感のある意匠が観察された。
○：意匠層の模様・色相が観察された。
△：一部意匠層の模様・色相が観察された。
×：透明層の色相が観察された。
【００３５】
実験例１、２、３、４、５、７、８、１４、１５、２１は、透明層の側面全面にわたって（式１）を満たし、側面において意匠層の高級感のある模様・色相が観察された。
実験例６、９は、側面のうち２０％が９０°であるが、８０％は鋭角でありかつ（式１）を満たし、側面の大部分において意匠層の高級感のある模様・色相が観察された。
実験例１０、１１、１２、１３、１７は、側面のうち２０％超が９０°であり、側面の大部分において透明層の色相が観察された。
実験例１６は、（式１）を満たしていないが、透明層の側面全面にわたって鋭角であるため、側面の大部分において意匠層の高級感のある模様・色相が観察された。
実験例１８、１９、２０は、（式１）を満たしているが、屈折率が低く、高級感が失われていた。
【図１】
0003206989.tif 000005
【図２】
0003206989.tif 000006
【図３】
0003206989.tif 000007